(57)【要約】【課題】自律ＶＬＡＮ認識型スイッチによりネットワークマネジメントシステムの負荷を軽減する。【解決手段】制御部２０は、管理用ポート５１を介しＮＭＳ１０１からの情報によりＤＢ１６上に設定された自律切り替え希望の情報を周期的に監視し、この希望日時情報と現在の日時が適合した場合は、ＮＰ１０へＶＬＡＮの構成変更指示を出すと共に、ＮＭＳ１０１へ、ＶＬＡＮの構成が変更された旨の通知を行い、また、日本のＪＪＹ（登録商標）に代表される標準時報局６０から発射される日時情報等を含んだ電波を受信し、受信した電波から日時情報取得を行うことにより、カレンダ機能付き時計１２へ常時正確な日時を設定する。【選択図】      図１
2004253981.tif 000002
【特許請求の範囲】
【請求項１】
ネットワークマネジメントシステムからの仮想ＬＡＮの構成情報を登録する記憶部と、前記記憶部に登録された仮想ＬＡＮの構成情報に指定された構成切り替え希望開始日時に達すると、仮想ＬＡＮの構成の変更を通知する制御部と、前記制御部からの通知に基づいて入力したデータの送信元が自ポートと同一の仮想ＬＡＮであれば、送信先指定、入力したデータを出力し、同一でなければ、送信先指定、入力したデータを出力しない１以上の入力ポート対応のプロセッサと、入力したデータを出力する１以上の出力ポート対応のプロセッサと、前記入力ポート対応のプロセッサからのデータを送信先指定にしたがって前記出力ポート対応のプロセッサに出力する前記スイッチファブリックとを有することを特徴とする自律ＶＬＡＮ認識型スイッチ。
【請求項２】
ネットワークマネジメントシステムからの仮想ＬＡＮの構成情報を登録し、外部から読み出し可能な記憶部と、前記記憶部に登録された仮想ＬＡＮの構成情報に指定された構成切り替え希望開始日時に達する、または、すでに、構成切り替え希望開始日時に達していると、仮想ＬＡＮの構成の変更を通知し、構成切り替え希望終了日時に達すると、事前に前記記憶部に登録されたデフォルト仮想ＬＡＮの構成への変更を通知し、仮想ＬＡＮの構成情報を前記記憶部から削除する制御部と、前記制御部からの通知に基づいて入力したデータの送信元が自ポートと同一の仮想ＬＡＮであれば、送信先指定、入力したデータを出力し、同一でなければ、送信先指定、入力したデータを出力しない１以上の入力ポート対応のプロセッサと、入力したデータを出力する１以上の出力ポート対応のプロセッサと、前記入力ポート対応のプロセッサからのデータを送信先指定にしたがって前記出力ポート対応のプロセッサに出力する前記スイッチファブリックと、を有することを特徴とする自律ＶＬＡＮ認識型スイッチ。
【請求項３】
前記構成切り替え希望開始日時が、年月日、時、分、または、秒の組み合わせを含むことを特徴とする請求項１記載の自律ＶＬＡＮ認識型スイッチ。
【請求項４】
前記構成切り替え希望開始日時、および、前記構成切り替え希望終了日時が、年月日、時、分、または、秒の組み合わせを含むことを特徴とする請求項２記載の自律ＶＬＡＮ認識型スイッチ。
【請求項５】
前記構成切り替え希望開始日時が、周期的な日時を含むことを特徴とする請求項１記載の自律ＶＬＡＮ認識型スイッチ。
【請求項６】
前記構成切り替え希望開始日時、および、前記構成切り替え希望終了日時が、周期的な日時を含むことを特徴とする請求項２記載の自律ＶＬＡＮ認識型スイッチ。
【請求項７】
複数の仮想ＬＡＮ構成情報を登録する前記記憶部を有することを特徴とする請求項１、３、または、５いずれか記載の自律ＶＬＡＮ認識型スイッチ。
【請求項８】
複数の仮想ＬＡＮ構成情報を登録する前記記憶部を有することを特徴とする請求項２、４、または、６いずれか記載の自律ＶＬＡＮ認識型スイッチ。
【請求項９】
仮想ＬＡＮ構成情報が登録される不揮発性メモリと、初期化時に、前記不揮発性メモリ内の仮想ＬＡＮ構成情報を前記記憶部に登録し、仮想ＬＡＮ構成情報にしたがって仮想ＬＡＮの構成を通知する前記制御部とを有することを特徴とする請求項１、３、５、または、７いずれか記載の自律ＶＬＡＮ認識型スイッチ。
【請求項１０】
仮想ＬＡＮ構成情報、デフォルト仮想ＬＡＮ構成情報が登録される不揮発性メモリと、初期化時に、前記不揮発性メモリ内の仮想ＬＡＮ構成情報を前記記憶部に登録し、仮想ＬＡＮ構成情報にしたがって仮想ＬＡＮの構成を通知する前記制御部とを有することを特徴とする請求項２、４、６、または、８いずれか記載の自律ＶＬＡＮ認識型スイッチ。
【請求項１１】
使用期間が終了した仮想ＬＡＮ構成情報を前記不揮発性メモリから消去する前記制御部を有することを特徴とする請求項１０記載の自律ＶＬＡＮ認識型スイッチ。
【請求項１２】
初期化時に、適合する仮想ＬＡＮ構成情報が存在しない場合に、前記不揮発性メモリ内のデフォルト仮想ＬＡＮ構成情報を前記記憶部に登録し、デフォルト仮想ＬＡＮ構成情報にしたがって仮想ＬＡＮの構成を通知する前記制御部とを有することを特徴とする請求項１０、または、１１いずれか記載の自律ＶＬＡＮ認識型スイッチ。
【請求項１３】
ネットワークマネジメントシステムからの仮想ＬＡＮの構成情報の登録に際し、管理用ポート、または、入力ポート側物理レイヤ、出力ポート側物理レイヤを介した通信プロトコルを使用することを特徴とする請求項１、３、５、７、または、９いずれか記載の自律ＶＬＡＮ認識型スイッチ。
【請求項１４】
ネットワークマネジメントシステムからの仮想ＬＡＮの構成情報の登録、変更、削除に際し、管理用ポート、または、入力ポート側物理レイヤ、出力ポート側物理レイヤを介した通信プロトコルを使用することを特徴とする請求項２、４、６、８、１０、１１、または、１２いずれか記載の自律ＶＬＡＮ認識型スイッチ。
【請求項１５】
ネットワークマネジメントシステムからのデフォルト仮想ＬＡＮの構成情報の登録、変更、削除に際し、管理用ポート、または、入力ポート側物理レイヤ、出力ポート側物理レイヤを介した通信プロトコルを使用することを特徴とする請求項２、４、６、８、１０、１１、１２、または、１４いずれか記載の自律ＶＬＡＮ認識型スイッチ。
【請求項１６】
標準時報局からの日時情報を受信する電波受信部と、前記電波受信部で受信された日時情報、または、ＮＴＰ、あるいはＳＮＴＰのプロトコルからの日時情報に基づいて前記制御部の指示により日時を設定する時計装置を有することを特徴とする請求項１、２、３、４、５、６、７、８、９、１０、１１、１２、１３、１４、または、１５いずれか記載の自律ＶＬＡＮ認識型スイッチ。
【請求項１７】
電源切断に対処するバックアップ手段を備える前記時計装置を有することを特徴とする請求項１６記載の自律ＶＬＡＮ認識型スイッチ。
【請求項１８】
仮想ＬＡＮの構成の切り替え実施の旨を、管理用ポート、または、入力ポート側物理レイヤ、出力ポート側物理レイヤを介した通信プロトコルを使用して前記ネットワークマネジメントシステムに通知する前記制御部を有することを特徴とする請求項１記載の自律ＶＬＡＮ認識型スイッチ。
【請求項１９】
仮想ＬＡＮの構成の切り替え実施の旨を、管理用ポート、または、入力ポート側物理レイヤ、出力ポート側物理レイヤを介した通信プロトコルを使用して前記ネットワークマネジメントシステムに通知する前記制御部を有することを特徴とする請求項２記載の自律ＶＬＡＮ認識型スイッチ。
【請求項２０】
１以上の日時を登録し、その日時に達すると、前記制御部へ割り込みを発生する前記時計部を有することを特徴とする請求項１、または、２いずれか記載の自律ＶＬＡＮ認識型スイッチ。
【請求項２１】
標準時報局からの日時情報を受信し、日時設定の指示を出力する電波受信部と、前記電波受信部からの指示により前記電波受信部で受信された日時情報に基づいて日時を設定する時計装置を有することを特徴とする請求項１、２、３、４、５、６、７、８、９、１０、１１、１２、１３、１４、または、１５いずれか記載の自律ＶＬＡＮ認識型スイッチ。
【発明の詳細な説明】
【０００１】
【発明の属する技術分野】
本発明は、自律ＶＬＡＮ認識型スイッチに関し、特に、ネットワークマネジメントシステムの負荷を軽減する自律ＶＬＡＮ認識型スイッチに関する。
【０００２】
【従来の技術】
ＯＳＩ（Ｏｐｅｎ  Ｓｙｓｔｅｍ  Ｉｎｔｅｒｃｏｎｎｅｃｔｉｏｎ  ｒｅｆｅｒｅｎｃｅ  ｍｏｄｅｌ）参照モデルにおけるレイヤ２、および、レイヤ３でパケット（もしくはフレーム）を受信し、パケットの送信元、送信先、および、現在のＶＬＡＮの構成に従った適切な出先に対して送信する機能を持った装置の中に、ＶＬＡＮ（Ｖｉｒｔｕａｌ  Ｌｏｃａｌ  Ａｒｅａ  Ｎｅｔｗｏｒｋ；仮想ＬＡＮ）を構成できるものがある。これらの装置において、レイヤ２でフレームを送受信する物としてはブリッジ、スイッチングハブ、および、Ｌ２（Ｌａｙｅｒ２）スイッチ等がある。同様にレイヤ３でパケットを送受信する物としては、ルータ、および、Ｌ３（Ｌａｙｅｒ３）スイッチ等がある。以降、これらの装置を全てスイッチと称する。また、パケットとフレームは同義語とする。
【０００３】
ＶＬＡＮとは、論理的（仮想的）にＬＡＮを分割することが可能となる技術であり、その方式の違いによりいくつかの種類がある。このＶＬＡＮの種類としては、代表的な物として、スイッチにおけるポートをキーとしてＶＬＡＮを構成するポートベースＶＬＡＮ、ＭＡＣ（Ｍｅｄｉａ  Ａｃｃｅｓｓ  ＣｏｎｔｒｏｌＡｄｄｒｅｓｓ）アドレスをキーとしてＶＬＡＮを構成するＭＡＣベースＶＬＡＮ、および、ＩＥＥＥ８０２．１Ｑで標準化されているＶＬＡＮタグをキーとしてＶＬＡＮを構成するタグベースＶＬＡＮ等がある。
【０００４】
これらの各種のＶＬＡＮを認識でき、かつ、それらのＶＬＡＮを構成可能なスイッチを、以降、「ＶＬＡＮ認識型スイッチ」と称する。また、「ＶＬＡＮの構成」と記述されている場合には、ＶＬＡＮの構成の仕方のみならずＶＬＡＮの方式も含んでいるとする。
【０００５】
従来は、ＶＬＡＮ認識型スイッチにおいて、希望とするＶＬＡＮの構成を変更する場合は、変更を行う度にそのスイッチへアクセスし、その設定を変更する必要があった。
【０００６】
このため、たとえば、ある会社において、部署毎に別のＶＬＡＮを割り当てて社内ネットワークを組んでいたとして、たとえば会議室等、各部署が共通的に使用すると思われる場所にＶＬＡＮ認識型スイッチを設置しておき、そこから自部署のネットワークへアクセスしようとした場合には、そのスイッチにおけるＶＬＡＮの構成を、あらかじめ適切に設定しておく必要があり、何かと不便であった。
【０００７】
この問題を解決する一手段として、たとえば、会議室等、各部署が共通的に使用する場所に設置されたＶＬＡＮ認識型スイッチに対し、あらかじめ、ポートベースＶＬＡＮ方式を用いて、ポート毎に各部署のＶＬＡＮを割り当てておき、自分の部署に対応しているポートを使用するという方法がある。
【０００８】
しかし、この方法には、次のような問題点があった。
【０００９】
第１の問題点は、ＶＬＡＮ認識型スイッチにおけるポート数には限りがあるので、部署が多い場合は、ポートが足りなくなる、ということである。
【００１０】
その理由は、ポートベースＶＬＡＮ方式は、ポート毎にＶＬＡＮを構成するからである。
【００１１】
第２の問題点は、ポート毎にＶＬＡＮが固定的に割り当てられているので、好きなポートを使用することができない、ということである。これは、たとえばポート１つに対し１つのＶＬＡＮが割り当てられていたとすると、使用できるポートは１つのみであることになり、ポートに接続したい端末が複数あった場合は、その１つのポートを、たとえばリピータハブ等を用いてポート数を拡張して使用することになる。これではコリジョンドメインを共有することになりトラヒックパフォーマンスが低下する。さらに、そのポートが故障していた場合、代わりに他のポートを使用するといった対処を速やかに行うことができない点も問題である。
【００１２】
その理由は、ポートベースＶＬＡＮ方式は、ポート毎にＶＬＡＮを構成するからである。
【００１３】
この問題を解決する一手段として、ＶＬＡＮの構成を、あらかじめ適切に設定しておくのではなく、ＶＬＡＮの構成を変更する必要が発生する度に、ＮＭＳ（ネットワークマネジメントシステム）等からスイッチに対してＶＬＡＮの構成を変更する指示を出させるという方法がある。
【００１４】
しかし、この方法には、次の様な問題点があった。
【００１５】
第１の問題点は、ＮＭＳが管理するスイッチが多く存在した場合はＮＭＳの負荷が増大する、ということである。
【００１６】
その理由は、各スイッチにおけるＶＬＡＮの構成の変更の指示や管理をＮＭＳ主導で行っているためである。ＮＭＳが管理するスイッチがたくさんあった場合において、各々同日時にＶＬＡＮの構成を変更する必要が生じた場合は、ＮＭＳ主導型であるので、各スイッチに対して順番にＶＬＡＮの構成を変更させる指示を出す必要が生じる。したがって、負荷が増大する。また、ＮＭＳは、スイッチ毎のＶＬＡＮ切り替え希望要求のデータを常に監視していなければならない点も、負荷が増大する理由である。
【００１７】
第２の問題点は、スイッチにおけるＶＬＡＮの構成を変更する日時になった時、実際にＶＬＡＮの構成が変更されるまでの間に遅延が生じる、ということである。
【００１８】
その理由は、第１の問題点の理由と同じく、各スイッチにおけるＶＬＡＮの構成を変更する場合において、ＮＭＳ主導で変更の指示を行っているためである。ＮＭＳが管理するスイッチがたくさんあった場合において、各々同日時にＶＬＡＮの構成を変更する必要が生じた場合は、ＮＭＳ主導型である理由のため、各スイッチに対して順番にＶＬＡＮの構成を変更させる指示を出す必要があり、このために遅延が生じるのである。
【００１９】
これらの問題を解決するためには、必要に応じてＮＭＳ主導でスイッチに対してＶＬＡＮの構成変更の指示を出すのではなく、スイッチが自律的にＶＬＡＮの構成を変更してくれれば良いことになる。この具体的な手段として、ＶＬＡＮ認識型スイッチにおいて、希望とするＶＬＡＮの構成を、そのスイッチに対してあらかじめ登録しておき、時間別に、その構成をスイッチ自律で変更する技術（以降、この特徴を持つＶＬＡＮ認識型スイッチのことを時間自律切り替え可能スイッチと記す）がある（たとえば、特許文献１）。
【００２０】
【特許文献１】
特開平１０−２２４３９１号公報
【００２１】
【発明が解決しようとする課題】
上述の特許文献１記載の発明の第１の問題点は、希望とするＶＬＡＮの構成を、時間自律切り替え可能スイッチに対してあらかじめ登録しておく際、年、月、日及び曜日指定で行うことができない、ということである。時間指定のみ可能で、かつ年、月、日及び曜日指定が行えない場合には、たとえば、毎週日曜日にはＶＬＡＮの構成変更を行いたくない、等といった細かな要求に応えることができない。
【００２２】
その理由は、この従来技術には、希望とするＶＬＡＮの構成を、時間自律切り替え可能スイッチへ登録する際、年、月、日及び曜日指定で行う手段がないことにある。
【００２３】
第２の問題点は、時間自律切り替え可能スイッチに内蔵されている時計の設定時刻が狂っていた場合はＶＬＡＮの構成を誤って切り替えてしまう可能性がある、ということである。
【００２４】
その理由は、この従来技術には、時間自律切り替え可能スイッチに内蔵されている時計の時刻を正確に設定する手段がないことにある。
【００２５】
第３の問題点は、自律切り替え可能スイッチが、予定通りにＶＬＡＮの構成を切り替えたかどうかを知ることができない、ということである。
【００２６】
その理由の１つ目は、この従来技術には、時間自律切り替え可能スイッチがＶＬＡＮの構成を切り替えた際に、ＮＭＳ等の外部装置に対し、自律切り替えを行ったことを通知する手段がない点にある。また、その理由の２つ目は、この従来技術には、時間自律切り替え可能スイッチにおける現在のＶＬＡＮの構成状態を、ＮＭＳ等の外部装置から読み出す手段がない点にある。
【００２７】
第４の問題点は、時間自律切り替え可能スイッチに対して、希望とするＶＬＡＮの構成を登録した後、そのスイッチの電源が切られてしまった、あるいはスイッチに対してリセットがかかり、初期化処理が走ってしまった等のことが起こった場合は、登録済みであった希望とする時間及びＶＬＡＮの構成が消えてしまうということである。
【００２８】
その理由は、この従来技術には、時間自律切り替え可能スイッチに対して、希望とする時間やＶＬＡＮの構成を登録した際、その構成をフラッシュメモリに代表される各種不揮発性メモリや、その他の外部記憶装置へ保持する手段がない点、及び時間自律切り替え可能スイッチの初期化処理時に、ＶＬＡＮの構成登録情報を、その不揮発性メモリ等から復旧する手段がない点にある。
【００２９】
本発明の目的は、以上の問題点を全て解決したＶＬＡＮ構成自律切り替え機能を持ったＶＬＡＮ認識型スイッチを実現することである。
【００３０】
【課題を解決するための手段】
本発明の第１の自律ＶＬＡＮ認識型スイッチは、ネットワークマネジメントシステムからの仮想ＬＡＮの構成情報を登録する記憶部と、前記記憶部に登録された仮想ＬＡＮの構成情報に指定された構成切り替え希望開始日時に達すると、仮想ＬＡＮの構成の変更を通知する制御部と、前記制御部からの通知に基づいて入力したデータの送信元が自ポートと同一の仮想ＬＡＮであれば、送信先指定、入力したデータを出力し、同一でなければ、送信先指定、入力したデータを出力しない１以上の入力ポート対応のプロセッサと、入力したデータを出力する１以上の出力ポート対応のプロセッサと、前記入力ポート対応のプロセッサからのデータを送信先指定にしたがって前記出力ポート対応のプロセッサに出力する前記スイッチファブリックとを有することを特徴とする。
【００３１】
本発明の第２の自律ＶＬＡＮ認識型スイッチは、ネットワークマネジメントシステムからの仮想ＬＡＮの構成情報を登録し、外部から読み出し可能な記憶部と、前記記憶部に登録された仮想ＬＡＮの構成情報に指定された構成切り替え希望開始日時に達する、または、すでに、構成切り替え希望開始日時に達していると、仮想ＬＡＮの構成の変更を通知し、構成切り替え希望終了日時に達すると、事前に前記記憶部に登録されたデフォルト仮想ＬＡＮの構成への変更を通知し、仮想ＬＡＮの構成情報を前記記憶部から削除する制御部と、前記制御部からの通知に基づいて入力したデータの送信元が自ポートと同一の仮想ＬＡＮであれば、送信先指定、入力したデータを出力し、同一でなければ、送信先指定、入力したデータを出力しない１以上の入力ポート対応のプロセッサと、入力したデータを出力する１以上の出力ポート対応のプロセッサと、前記入力ポート対応のプロセッサからのデータを送信先指定にしたがって前記出力ポート対応のプロセッサに出力する前記スイッチファブリックと、を有することを特徴とする。
【００３２】
本発明の第３の自律ＶＬＡＮ認識型スイッチは、前記第１の自律ＶＬＡＮ認識型スイッチであって、前記構成切り替え希望開始日時が、年月日、時、分、または、秒の組み合わせを含むことを特徴とする。
【００３３】
本発明の第４の自律ＶＬＡＮ認識型スイッチは、前記第２の自律ＶＬＡＮ認識型スイッチであって、前記構成切り替え希望開始日時、および、前記構成切り替え希望終了日時が、年月日、時、分、または、秒の組み合わせを含むことを特徴とする。
【００３４】
本発明の第５の自律ＶＬＡＮ認識型スイッチは、前記第１の自律ＶＬＡＮ認識型スイッチであって、前記構成切り替え希望開始日時が、周期的な日時を含むことを特徴とする。
【００３５】
本発明の第６の自律ＶＬＡＮ認識型スイッチは、前記第２の自律ＶＬＡＮ認識型スイッチであって、前記構成切り替え希望開始日時、および、前記構成切り替え希望終了日時が、周期的な日時を含むことを特徴とする。
【００３６】
本発明の第７の自律ＶＬＡＮ認識型スイッチは、前記第１、第３、または、第５の自律ＶＬＡＮ認識型スイッチであって、複数の仮想ＬＡＮ構成情報を登録する前記記憶部を有することを特徴とする。
【００３７】
本発明の第８の自律ＶＬＡＮ認識型スイッチは、前記第２、第４、または、第６の自律ＶＬＡＮ認識型スイッチであって、複数の仮想ＬＡＮ構成情報を登録する前記記憶部を有することを特徴とする。
【００３８】
本発明の第９の自律ＶＬＡＮ認識型スイッチは、前記第１、第３、第５、または、第７の自律ＶＬＡＮ認識型スイッチであって、仮想ＬＡＮ構成情報が登録される不揮発性メモリと、初期化時に、前記不揮発性メモリ内の仮想ＬＡＮ構成情報を前記記憶部に登録し、仮想ＬＡＮ構成情報にしたがって仮想ＬＡＮの構成を通知する前記制御部とを有することを特徴とする。
【００３９】
本発明の第１０の自律ＶＬＡＮ認識型スイッチは、前記第２、第４、第６、または、第８の自律ＶＬＡＮ認識型スイッチであって、仮想ＬＡＮ構成情報、デフォルト仮想ＬＡＮ構成情報が登録される不揮発性メモリと、初期化時に、前記不揮発性メモリ内の仮想ＬＡＮ構成情報を前記記憶部に登録し、仮想ＬＡＮ構成情報にしたがって仮想ＬＡＮの構成を通知する前記制御部とを有することを特徴とする。
【００４０】
本発明の第１１の自律ＶＬＡＮ認識型スイッチは、前記第１０の自律ＶＬＡＮ認識型スイッチであって、使用期間が終了した仮想ＬＡＮ構成情報を前記不揮発性メモリから消去する前記制御部を有することを特徴とする。
【００４１】
本発明の第１２の自律ＶＬＡＮ認識型スイッチは、前記第１０、または、第１１の自律ＶＬＡＮ認識型スイッチであって、初期化時に、適合する仮想ＬＡＮ構成情報が存在しない場合に、前記不揮発性メモリ内のデフォルト仮想ＬＡＮ構成情報を前記記憶部に登録し、デフォルト仮想ＬＡＮ構成情報にしたがって仮想ＬＡＮの構成を通知する前記制御部とを有することを特徴とする。
【００４２】
本発明の第１３の自律ＶＬＡＮ認識型スイッチは、前記第１、第３、第５、第７、または、第９の自律ＶＬＡＮ認識型スイッチであって、ネットワークマネジメントシステムからの仮想ＬＡＮの構成情報の登録に際し、管理用ポート、または、入力ポート側物理レイヤ、出力ポート側物理レイヤを介した通信プロトコルを使用することを特徴とする。
【００４３】
本発明の第１４の自律ＶＬＡＮ認識型スイッチは、前記第２、第４、第６、第８、第１０、第１１、または、第１２の自律ＶＬＡＮ認識型スイッチであって、ネットワークマネジメントシステムからの仮想ＬＡＮの構成情報の登録、変更、削除に際し、管理用ポート、または、入力ポート側物理レイヤ、出力ポート側物理レイヤを介した通信プロトコルを使用することを特徴とする。
【００４４】
本発明の第１５の自律ＶＬＡＮ認識型スイッチは、前記第２、第４、第６、第８、第１０、第１１、第１２、または、第１４の自律ＶＬＡＮ認識型スイッチであって、ネットワークマネジメントシステムからのデフォルト仮想ＬＡＮの構成情報の登録、変更、削除に際し、管理用ポート、または、入力ポート側物理レイヤ、出力ポート側物理レイヤを介した通信プロトコルを使用することを特徴とする。
【００４５】
本発明の第１６の自律ＶＬＡＮ認識型スイッチは、前記第１、第２、第３、第４、第５、第６、第７、第８、第９、第１０、第１１、第１２、第１３、第１４、または、第１５の自律ＶＬＡＮ認識型スイッチであって、標準時報局からの日時情報を受信する電波受信部と、前記電波受信部で受信された日時情報、または、ＮＴＰ、あるいはＳＮＴＰのプロトコルからの日時情報に基づいて前記制御部の指示により日時を設定する時計装置を有することを特徴とする。
【００４６】
本発明の第１７の自律ＶＬＡＮ認識型スイッチは、前記第１６の自律ＶＬＡＮ認識型スイッチであって、電源切断に対処するバックアップ手段を備える前記時計装置を有することを特徴とする。
【００４７】
本発明の第１８の自律ＶＬＡＮ認識型スイッチは、前記第１の自律ＶＬＡＮ認識型スイッチであって、仮想ＬＡＮの構成の切り替え実施の旨を、管理用ポート、または、入力ポート側物理レイヤ、出力ポート側物理レイヤを介した通信プロトコルを使用して前記ネットワークマネジメントシステムに通知する前記制御部を有することを特徴とする。
【００４８】
本発明の第１９の自律ＶＬＡＮ認識型スイッチは、前記第２の自律ＶＬＡＮ認識型スイッチであって、仮想ＬＡＮの構成の切り替え実施の旨を、管理用ポート、または、入力ポート側物理レイヤ、出力ポート側物理レイヤを介した通信プロトコルを使用して前記ネットワークマネジメントシステムに通知する前記制御部を有することを特徴とする。
【００４９】
本発明の第２０の自律ＶＬＡＮ認識型スイッチは、前記第１、または、第２の自律ＶＬＡＮ認識型スイッチであって、１以上の日時を登録し、その日時に達すると、前記制御部へ割り込みを発生する前記時計部を有することを特徴とする。
【００５０】
本発明の第２１の自律ＶＬＡＮ認識型スイッチは、前記第１、第２、第３、第４、第５、第６、第７、第８、第９、第１０、第１１、第１２、第１３、第１４、または、第１５の自律ＶＬＡＮ認識型スイッチであって、標準時報局からの日時情報を受信し、日時設定の指示を出力する電波受信部と、前記電波受信部からの指示により前記電波受信部で受信された日時情報に基づいて日時を設定する時計装置を有することを特徴とする。
【００５１】
【発明の実施の形態】
次に、本発明の第１の実施の形態について図面を参照して詳細に説明する。
【００５２】
図１は、本発明の第１の実施の形態の構成を示すブロック図である。
【００５３】
図１を参照すると、本発明の第１の実施の形態は、自律ＶＬＡＮ認識型スイッチ１０００と、ネットワークマネジメントシステムであるＮＭＳ１０１と、標準時報局６０とから構成される。
【００５４】
自律ＶＬＡＮ認識型スイッチ１０００は、入力側のプロセッサであるＮＰ１０Ｉ（ポート対応のプロセッサ１０ａ、プロセッサ１０ｂ、・・・、プロセッサ１０ｃを含む）と、出力側のプロセッサであるＮＰ１０Ｏ（ポート対応のプロセッサ１０ｄ、プロセッサ１０ｅ、・・・、プロセッサ１０ｆを含む）と、電波受信部１１と、カレンダ機能付き時計１２と、管理用ポート１３と、メモリ１４と、不揮発性メモリ１５と、ハードディスク等の記憶装置で構成されるデータベース装置であるＤＢ１６と、ポート１入力１７〜ポートＮ入力１７（Ｎは任意の整数）と、ポート１出力１８〜ポートＮ出力１８（Ｎは任意の整数）と、制御部２０と、バス３０と、スイッチファブリック４０と、入力ポート側物理レイヤ（入力側の物理的インタフェース）であるＰＨＹ９０Ｉ（ポート対応の物理レイヤ９ａ、物理レイヤ９ｂ、・・・、物理レイヤ９ｃを含む）と、出力ポート側物理レイヤ（出力側の物理的インタフェース）であるＰＨＹ９０Ｏ（ポート対応の物理レイヤ９ｄ、物理レイヤ９ｅ、・・・、物理レイヤ９ｆを含む）とから構成される。
【００５５】
ＮＰ１０Ｉ、ＮＰ１０Ｏ、電波受信部１１、カレンダ機能付き時計１２、管理用ポート１３と、メモリ１４、不揮発性メモリ１５、ＤＢ１６、および、制御部２０は、バス３０で接続される。
【００５６】
ＮＭＳ１０１は、自律ＶＬＡＮ認識型スイッチ１０００に対して、デフォルトのＶＬＡＮの構成情報の登録、削除、変更、および、読み出しの要求、および、自律切り替え希望とするＶＬＡＮの構成と切り替え実施希望日、および、時間の登録、削除、変更、および、読み出しの要求、および、現在のＶＬＡＮの構成の読み出しの要求を行う。この時の登録、削除、変更内容、および、読み出し内容は、ＤＢ１６、および、不揮発性メモリ１５上に対し、保持、削除、内容の変更、および、読み出しが行われる。この自律切り替え希望日時は、年、月、日、曜日、時、分、および、秒による任意の組み合わせの指定で行うことが可能である。
【００５７】
電波受信部１１は、アンテナ６１と接続され、標準時報局６０からの情報を受信する。管理用ポート１３は、管理用ポート入出力５１を介してＮＭＳ１０１と情報を交換する。また、管理用ポート入出力５１ではなく、ＮＭＳ１０１と、ポート１入力１７〜ポートＮ入力１７、ポート１出力１８〜ポートＮ出力１８のいずれかのポートとを接続し、自律ＶＬＡＮ認識型スイッチ１０００と情報の交換を行うことができる。
【００５８】
ポート１入力１７〜ポートＮ入力１７を通して入力されたパケットは、ＰＨＹ９０ＩによってＯＳＩ参照モデルにおける物理レイヤ関連処理が行われ、ＮＰ１０Ｉへ引き渡される。ＮＰ１０Ｉは、パケットの送信元、送信先、および、その他の情報と現在のＶＬＡＮの構成とを踏まえた上で適切な出力先を決定し、スイッチファブリック４０へ引き渡す。スイッチファブリック４０は、スイッチの入力ポートから当該出力ポートへパケットを転送するために使用される機構であり、ＮＰ１０Ｉから引き渡されたパケットは、スイッチファブリック４０を通して当該ＮＰ１０Ｏへ引き渡される。パケットを受け取ったＮＰ１０Ｏは、そのパケットに対して、必要に応じてＶＬＡＮタグ付けを行った後、ＰＨＹ９０Ｏへ引き渡す。パケットを受け取ったＰＨＹ９０Ｏは、ＯＳＩ参照モデルにおける物理レイヤ関連処理を行い、ポート１出力１８〜ポートＮ出力１８を通して、そのパケットを外部へ送出する。
【００５９】
不揮発性メモリ１５上へ保持された登録内容は、電源オンやリセット等の要因により、自律ＶＬＡＮ認識型スイッチ１０００が初期化された場合において、現在のＶＬＡＮの構成、および、ＤＢ１６上の、自律切り替え希望とするＶＬＡＮの構成と切り替え実施希望日、および、時間の情報を復旧する目的で使用される。
【００６０】
制御部２０は、ＤＢ１６上の自律切り替え希望とする切り替え実施希望日、および、時間の情報を周期的に監視し、この希望日時情報と現在の日時が適合した場合は、制御部２０は、当該自律切り替え希望とするＶＬＡＮの構成になるように、ＮＰ１０Ｉ、ＮＰ１０ＯへＶＬＡＮの構成変更指示を出すと共に、前述したＮＭＳ１０１等の装置へ、ＴＣＰ／ＩＰ、ＵＤＰ／ＩＰ、ＳＮＭＰにおけるＴＲＡＰ等の通信プロトコルや手段を使って、ＶＬＡＮの構成が変更された旨の通知を行う。
【００６１】
また、制御部２０は、ＮＴＰ（Ｎｅｔｗｏｒｋ  Ｔｉｍｅ  Ｐｒｏｔｏｃｏｌ；ネットワークタイムプロトコル）もしくは、ＳＮＴＰ（Ｓｉｍｐｌｅ  Ｎｅｔｗｏｒｋ  Ｔｉｍｅ  Ｐｒｏｔｏｃｏｌ；シンプルネットワークタイムプロトコル）を用いることにより、あるいは、日本のＪＪＹ（登録商標）に代表される標準時報局６０から発射される日時情報等を含んだ電波を受信し、受信した電波から日時情報取得を行うことにより、カレンダ機能付き時計１２へ常時正確な日時を設定する。なお、本時計にはリチウム電池等を用いた設定情報のバックアップ手段が内蔵されているため、自律ＶＬＡＮ認識型スイッチ１０００の電源が切られても日時情報はリセットされずに時を刻み続ける。
【００６２】
メモリ１４は、制御部２０の動作に必要な各種データ類を保持するワークエリアであり、このデータ類の中には、現在のＶＬＡＮの構成を保持するデータも存在する。ＮＭＳ１０１等の装置から、メモリ１４内の現在のＶＬＡＮの構成を読み出すことが可能である。
【００６３】
カレンダ機能付き時計１２は、自律ＶＬＡＮ認識型スイッチ１０００における現在の日時を管理する時計であり、リチウム電池等を用いた設定情報のバックアップ手段が内蔵されている。これにより、自律ＶＬＡＮ認識型スイッチ１０００の電源が切られても、日時情報はリセットされずに時を刻み続ける。
【００６４】
ＤＢ１６は、デフォルトのＶＬＡＮの構成、および、自律切り替え希望とするＶＬＡＮの構成と切り替え実施希望日、および、時間に関する情報を保持するデータベース用メモリである。なお、ＤＢ１６は、メモリ１４上に存在させてもよい。このＤＢ１６上の情報はスイッチが初期化されると消えてしまうが、これらの情報を不揮発性メモリ１５へ保存しておき、スイッチ初期化時において、この保存しておいた情報をＤＢ１６へ復旧し、かつ、必要に応じて現在のＶＬＡＮの構成を復旧することが可能である。
【００６５】
電波受信部１１は、日本のＪＪＹ（登録商標）に代表される標準時報局６０から発射される日時情報等を含んだ電波をアンテナ６１から受信し、かつ、受信した電波から日時情報を取り出し、受信したことを制御部２０へ通知する機能を持つ。
【００６６】
管理用ポート１３は、管理用ポート入出力５１を通じて、ＮＭＳ１０１等と接続されるインタフェースであり、ＴＣＰ／ＩＰ、ＵＤＰ／ＩＰ、ＳＮＭＰ、ＲＳ−２３２Ｃ等のプロトコルを使って通信を行い、自律ＶＬＡＮ認識型スイッチ１０００の制御等を行うことが可能である。
【００６７】
制御部２０は、ＣＰＵ（Ｃｅｎｔｒａｌ  Ｐｒｏｃｅｓｓｉｎｇ  Ｕｎｉｔ）を中心に構成される部分であり、自律ＶＬＡＮ認識型スイッチ１０００の初期化処理、ＮＰ１０Ｉ、ＮＰ１０Ｏの制御等、自律ＶＬＡＮ認識型スイッチ１０００に関わる全ての制御を担当する。
【００６８】
次に、本発明の第１の実施の形態の動作について図面を参照して説明する。
【００６９】
はじめに、自律切り替え希望とする年、月、日、曜日、時、分、および、秒による任意の組み合わせの指定、および、ＶＬＡＮの構成指定に関し、登録時の動作を説明する。なお、この日時の指定はｘ年ｙ月ｚ日、ｘ時ｙ分ｚ秒等といった日時限定的な設定だけでなく、毎週月曜日、毎日午後２時等といった、繰り返し的（周期的）な設定も可能である。以降、この日時、および、ＶＬＡＮの構成の指定を総称して切り替え希望要求と称する。
【００７０】
切り替え希望要求の登録は、管理用ポート入出力５１を経由、あるいは、通常のネットワーク通信で使用されるポート１入力１７〜ポートＮ入力１７、および、ポート１出力１８〜ポートＮ出力１８を経由したＮＭＳ１０１等の装置から、ＴＣＰ／ＩＰ、ＵＤＰ／ＩＰ、ＳＮＭＰ、ＲＳ−２３２Ｃ等のプロトコルを用いて行われ、この登録情報はＤＢ１６、および、不揮発性メモリ１５に保持される。本登録が行われた時点において、登録内容の日時が、現在の日時に適合（たとえば、登録内容の日時が、１５日の３時〜５時の時間帯であり、現在の日時が１５日の４時である場合）していた場合は、制御部２０は、直ちにＮＰ１０Ｉ、ＮＰ１０ＯへＶＬＡＮの構成変更指示を出す。
【００７１】
これにより、自律ＶＬＡＮ認識型スイッチ１０００におけるＶＬＡＮの構成が切り替え希望要求にしたがって切り替わる。そして、日時が経過し、現在の日時が、ＤＢ１６上の切り替え希望要求に適合しなくなった場合は、制御部２０は、直ちにＮＰ１０Ｉ、ＮＰ１０ＯへデフォルトのＶＬＡＮの構成への変更指示を出すと共に、ＤＢ１６、および、不揮発性メモリ１５上から、使用期間が終わった切り替え希望要求情報を消去する。たとえば、周期的な切り替えに対しても、日時の上限を切り替え希望要求に含ませ、使用期間を設定することが可能である。
【００７２】
これにより、自律ＶＬＡＮ認識型スイッチ１０００におけるＶＬＡＮの構成がデフォルトの構成に切り替わる。これらＶＬＡＮの構成を変更する処理が行われると、制御部２０は、前述したＮＭＳ１０１等の装置へ、ＴＣＰ／ＩＰ、ＵＤＰ／ＩＰ、ＳＮＭＰにおけるＴＲＡＰ等のプロトコルや手段を使って、ＶＬＡＮの構成が変更された旨の通知を行う。
【００７３】
次に、ＤＢ１６に登録された切り替え希望要求の内容の変更時の動作について図面を参照して説明する。
【００７４】
切り替え希望要求の変更は、切り替え希望要求の登録時の動作で説明した内容と同じく、管理用ポート入出力５１を経由、あるいは通常のネットワーク通信で使用されるポート１入力１７〜ポートＮ入力１７、および、ポート１出力１８〜ポートＮ出力１８を経由したＮＭＳ１０１等の装置から、ＴＣＰ／ＩＰ、ＵＤＰ／ＩＰ、ＳＮＭＰ、ＲＳ−２３２Ｃ等のプロトコルを用いて行われ、この変更内容をもとに、ＤＢ１６、および、不揮発性メモリ１５上の登録情報が更新される。この登録内容の更新が行われた時点において、登録内容の日時が現在の日時に適合していた場合は、制御部２０は直ちにＮＰ１０Ｉ、ＮＰ１０ＯへＶＬＡＮの構成変更指示を出す。これにより、自律ＶＬＡＮ認識型スイッチ１０００におけるＶＬＡＮの構成が希望通りに切り替わる。そして日時が経過し、現在の日時がＤＢ１６上の切り替え希望要求に適合しなくなった場合は、制御部２０は直ちにＮＰ１０Ｉ、ＮＰ１０ＯへデフォルトのＶＬＡＮの構成への変更指示を出すと共に、ＤＢ１６、および、不揮発性メモリ１５上から、使用が終わった切り替え希望要求情報を消去する。これにより、自律ＶＬＡＮ認識型スイッチ１０００におけるＶＬＡＮの構成がデフォルトの構成に切り替わる。また、この登録内容の更新が行われたことにより、現在のＶＬＡＮの構成とＤＢ１６上の切り替え希望要求と適合しなくなった場合は、制御部２０は直ちにＮＰ１０Ｉ、ＮＰ１０ＯへデフォルトのＶＬＡＮの構成への変更指示を出すと共に、ＤＢ１６、および、不揮発性メモリ１５上から、使用が終わった切り替え希望要求情報を消去する。これにより、自律ＶＬＡＮ認識型スイッチ１０００におけるＶＬＡＮの構成がデフォルトの構成に切り替わる。これらＶＬＡＮの構成を変更する処理が行われた際において、制御部２０は、前述したＮＭＳ１０１等の装置へ、ＴＣＰ／ＩＰ、ＵＤＰ／ＩＰ、ＳＮＭＰにおけるＴＲＡＰ等のプロトコルや手段を使って、ＶＬＡＮの構成が変更された旨の通知を行う。
【００７５】
次に、ＤＢ１６に登録された切り替え希望要求の削除時の動作について説明する。
【００７６】
切り替え希望要求の削除は、切り替え希望要求の登録時の動作で説明した内容と同じく、管理用ポート入出力５１を経由、あるいは、通常のネットワーク通信で使用されるポート１入力１７〜ポートＮ入力１７、および、ポート１出力１８〜ポートＮ出力１８を経由したＮＭＳ１０１等の装置から、ＴＣＰ／ＩＰ、ＵＤＰ／ＩＰ、ＳＮＭＰ、ＲＳ−２３２Ｃ等のプロトコルを用いて行われ、この削除内容をもとに、ＤＢ１６、および、不揮発性メモリ１５上の登録情報が削除される。本登録内容の削除が行われた時点において、ＤＢ１６上の切り替え希望要求が全てなくなった場合や、現在のＶＬＡＮの構成とＤＢ１６上の切り替え希望要求とが適合しなくなった場合は、制御部２０は直ちにＮＰ１０Ｉ、ＮＰ１０ＯへデフォルトのＶＬＡＮの構成への変更指示を出すと共に、ＤＢ１６、および、不揮発性メモリ１５上から、使用が終わった切り替え希望要求情報を消去する。これにより、自律ＶＬＡＮ認識型スイッチ１０００におけるＶＬＡＮの構成がデフォルトの構成に切り替わる。これらＶＬＡＮの構成を変更する処理が行われると、制御部２０は、前述したＮＭＳ１０１等の装置へ、ＴＣＰ／ＩＰ、ＵＤＰ／ＩＰ、ＳＮＭＰにおけるＴＲＡＰ等のプロトコルや手段を使って、ＶＬＡＮの構成が変更された旨の通知を行う。
【００７７】
次に、デフォルトのＶＬＡＮの構成に関し、登録時の動作について説明する。
【００７８】
デフォルトのＶＬＡＮの構成の登録は、切り替え希望要求の登録時の動作で説明した内容と同じく、管理用ポート入出力５１を経由、あるいは通常のネットワーク通信で使用されるポート１入力１７〜ポートＮ入力１７、および、ポート１出力１８〜ポートＮ出力１８を経由したＮＭＳ１０１等の装置から、ＴＣＰ／ＩＰ、ＵＤＰ／ＩＰ、ＳＮＭＰ、ＲＳ−２３２Ｃ等のプロトコルを用いて行われ、この登録情報はＤＢ１６、および、不揮発性メモリ１５に保持される。
【００７９】
次に、デフォルトのＶＬＡＮの構成に関し、変更時の動作について説明する。
【００８０】
デフォルトのＶＬＡＮの構成の変更は、切り替え希望要求の登録時の動作で説明した内容と同じく、管理用ポート入出力５１を経由、あるいは、通常のネットワーク通信で使用されるポート１入力１７〜ポートＮ入力１７、および、ポート１出力１８〜ポートＮ出力１８を経由したＮＭＳ１０１等の装置から、ＴＣＰ／ＩＰ、ＵＤＰ／ＩＰ、ＳＮＭＰ、ＲＳ−２３２Ｃ等のプロトコルを用いて行われ、この変更内容をもとに、ＤＢ１６、および、不揮発性メモリ１５上の登録情報が更新される。
【００８１】
次に、ＤＢ１６に登録されたデフォルトのＶＬＡＮの構成の読み出し、切り替え希望要求の登録内容の読み出し、および、現在のＶＬＡＮの構成の読み出し時の動作を説明する。
【００８２】
デフォルトのＶＬＡＮの構成の読み出し、切り替え希望要求の登録内容の読み出し、および、現在のＶＬＡＮの構成の読み出しは、切り替え希望要求の登録時の動作で説明した内容と同じく、管理用ポート入出力５１を経由、あるいは、通常のネットワーク通信で使用されるポート１入力１７〜ポートＮ入力１７、および、ポート１出力１８〜ポートＮ出力１８を経由したＮＭＳ１０１等の装置から、ＴＣＰ／ＩＰ、ＵＤＰ／ＩＰ、ＳＮＭＰ、ＲＳ−２３２Ｃ等のプロトコルを用いて行われ、ＤＢ１６やメモリ１４から、デフォルトのＶＬＡＮの構成の読み出し、切り替え希望要求の登録内容の読み出し、および、現在のＶＬＡＮの構成の読み出しが行われる。
【００８３】
次に、ＤＢ１６に登録された切り替え希望要求をもとにＶＬＡＮの構成が切り替わる流れについて説明する。
【００８４】
制御部２０は、ＤＢ１６に保持されている登録内容における自律切り替え希望日時をもとに、カレンダ機能付き時計１２上の現在日時情報を周期的に監視している。制御部２０は、現在日時がＤＢ１６に保持されている登録内容における自律切り替え希望日時と適合したことを検出すると、当該自律切り替え希望日時に対応するＶＬＡＮの構成をＤＢ１６から読み出し、ＮＰ１０Ｉ、ＮＰ１０ＯへＶＬＡＮの構成変更指示を出す。これにより、自律ＶＬＡＮ認識型スイッチ１０００におけるＶＬＡＮの構成が切り替わる。これらＶＬＡＮの構成を変更する処理が行われた際において、制御部２０は、前述したＮＭＳ１０１等の装置へ、ＴＣＰ／ＩＰ、ＵＤＰ／ＩＰ、ＳＮＭＰにおけるＴＲＡＰ等のプロトコルや手段を使って、ＶＬＡＮの構成が変更された旨の通知を行う。
【００８５】
次に、電源オンやリセット等の要因により、自律ＶＬＡＮ認識型スイッチ１０００が初期化された場合の動作について説明する。
【００８６】
自律ＶＬＡＮ認識型スイッチ１０００が初期化された際、不揮発性メモリ１５上の登録情報をもとにＤＢ１６上の切り替え希望要求情報を復旧する。この復旧を行った時点において、ＤＢ１６上の登録内容の日時が現在の日時に適合していた場合は、制御部２０は、直ちにＮＰ１０Ｉ、ＮＰ１０ＯへＶＬＡＮの構成変更指示を出す。これにより、自律ＶＬＡＮ認識型スイッチ１０００におけるＶＬＡＮの構成が希望通りに切り替わる。そして日時が経過し、現在の日時がＤＢ１６上の切り替え希望要求に適合しなくなった場合は、制御部２０は直ちにＮＰ１０Ｉ、ＮＰ１０ＯへデフォルトのＶＬＡＮの構成への変更指示を出すと共に、ＤＢ１６、および、不揮発性メモリ１５上から、使用が終わった切り替え希望要求情報を消去する。これにより、自律ＶＬＡＮ認識型スイッチ１０００におけるＶＬＡＮの構成がデフォルトの構成に切り替わる。これらＶＬＡＮの構成を変更する処理が行われた際において、制御部２０は、前述したＮＭＳ１０１等の装置へ、ＴＣＰ／ＩＰ、ＵＤＰ／ＩＰ、ＳＮＭＰにおけるＴＲＡＰ等のプロトコルや手段を使って、ＶＬＡＮの構成が変更された旨の通知を行う。また、初期化時に、デフォルトのＶＬＡＮ構成情報しか登録されていない場合には、デフォルトのＶＬＡＮ構成情報が適用される。
【００８７】
次に、カレンダ機能付き時計１２における日時情報を設定する流れについて説明する。
【００８８】
日時情報の設定の手法としては３つある。第１、および、第２の手法は、ＮＴＰ、もしくは、ＳＮＴＰを用いることで、カレンダ機能付き時計１２に対して、常時正確な日時情報の設定を行う手法である。制御部２０は、管理用ポート入出力５１を経由、あるいは、通常のネットワーク通信で使用されるポート１入力１７〜ポートＮ入力１７、および、ポート１出力１８〜ポートＮ出力１８を経由し、ＮＴＰ、もしくは、ＳＮＴＰを使用して、ＮＴＰサーバー、もしくは、ＳＮＴＰサーバーへアクセスし、正確な日時情報の設定を行う。第３の手法は、日本のＪＪＹ（登録商標）に代表される標準時報局６０から発射される日時情報等を含んだ電波を受信し、受信した電波から日時情報を得て、正確な日時情報の設定を行う手法である。電波受信部１１は、日時情報等を含んだ電波を受信し、受信した電波から日時情報を取得した後、制御部２０へ割り込みにより通知を行う。この通知を受けた制御部２０は、電波受信部１１によって取得された日時情報をもとに、常時カレンダ機能付き時計１２に対して、正確な日時情報の設定を行う。
【００８９】
次に、図１のＤＢ１６に登録された切り替え希望要求をもとにしたＶＬＡＮの構成が切り替えの動作について図面を参照して説明する。
【００９０】
図２は、本発明の第１の実施の形態の動作を示す説明図である。
【００９１】
図３は、本発明の第１の実施の形態の動作を示す説明図である。
【００９２】
図４は、本発明の第１の実施の形態の動作を示す説明図である。
【００９３】
なお、図２、図３、および、図４において、仮想ＬＡＮであるＶＬＡＮ１、ＶＬＡＮ２、ＶＬＡＮ３の３つが設定され、ＶＬＡＮ１がデフォルトＶＬＡＮとなっているものとする。
【００９４】
図２を参照すると、自律ＶＬＡＮ認識型スイッチ１０００は、ＶＬＡＮ認識型スイッチ１００、ＶＬＡＮ認識型スイッチ２００、ＶＬＡＮ認識型スイッチ３００と接続され、さらに、自律ＶＬＡＮ認識型スイッチ１０００には、端末５０１、端末５０２が接続される。ＶＬＡＮ認識型スイッチ１００には、ＮＭＳ１０１が接続され、ＶＬＡＮ認識型スイッチ２００には、端末２０１、端末２０２、端末２０３が接続され、ＶＬＡＮ認識型スイッチ３００には、端末３０１、端末３０２、端末３０３が接続される。また、ＶＬＡＮ認識型スイッチ１００とＶＬＡＮ認識型スイッチ２００とが接続され、ＶＬＡＮ認識型スイッチ１００とＶＬＡＮ認識型スイッチ３００とが接続される。たとえば、自律ＶＬＡＮ認識型スイッチ１０００のポート１入力１７、および、ポート１出力１８とＶＬＡＮ認識型スイッチ１００とが接続される（ＶＬＡＮ認識型スイッチ１００、ＶＬＡＮ認識型スイッチ２００、ＶＬＡＮ認識型スイッチ３００も同様にポートを持っている）。
【００９５】
ＶＬＡＮ認識型スイッチ１００、ＶＬＡＮ認識型スイッチ２００、ＶＬＡＮ認識型スイッチ３００は、従来の技術のスイッチである。
【００９６】
また、構成として、端末５０１、端末５０２がＶＬＡＮ１に属しており、また、端末２０１、端末２０２、端末２０３がＶＬＡＮ２に属しており、また、端末３０１、端末３０２、端末３０３がＶＬＡＮ３に属しており、ＮＭＳ１０１が全てのＶＬＡＮ１〜ＶＬＡＮ３に属している。各端末、ＮＭＳ１０１は、同一ＶＬＡＮに属しているもの同士としか通信ができない。図２で示すＶＬＡＮの構成では、端末５０１、端末５０２は、端末２０１、端末２０２、端末２０３、端末３０１、端末３０２、端末３０３のいずれに対しても通信はできない。
【００９７】
図２における自律ＶＬＡＮ認識型スイッチ１０００には、ある日時Ａにおいて、端末５０１、端末５０２をＶＬＡＮ２に属させ、また、ある日時Ｂにおいて端末５０１、端末５０２をＶＬＡＮ３に属させるための切り替え希望要求の登録が行われている。この登録は、ＮＭＳ１０１から端末２０１、端末２０２、端末２０３、端末３０１、端末３０２、端末３０３のいずれかを経由して行われるか、あるいは、ＮＭＳ１０１から直接行われる。
【００９８】
日時Ａに到達すると、自律ＶＬＡＮ認識型スイッチ１０００は、ＶＬＡＮ構成自律切り替え機能により、現在のＶＬＡＮの構成を、切り替え希望要求にしたがい、端末５０１、端末５０２をＶＬＡＮ２に属するように変更し、かつ、この変更を行った旨の通知をＮＭＳ１０１に対して行う。この変更後の状態を示したものが図３である。
【００９９】
変更後の状態では、端末５０１、端末５０２は、端末２０１、端末２０２、端末２０３いずれに対しても通信が可能であるが、端末３０１、端末３０２、端末３０３とは、いずれに対しても通信はできない。
【０１００】
また、日時Ｂに到達すると、自律ＶＬＡＮ認識型スイッチ１０００は、ＶＬＡＮ構成自律切り替え機能により、現在のＶＬＡＮの構成を、切り替え希望要求にしたがい、端末５０１、端末５０２をＶＬＡＮ３に属するように変更し、かつ、この変更を行った旨の通知をＮＭＳ１０１に対して行う。この変更後の状態を示したものが図４である。
【０１０１】
変更後の状態では、端末５０１、端末５０２は、端末３０１、端末３０２、端末３０３いずれに対しても通信が可能であるが、端末２０１、端末２０２、端末２０３とは、いずれに対しても通信はできない。
【０１０２】
次に、ＶＬＡＮの構成の情報に関して説明する。
【０１０３】
図５は、図２のＶＬＡＮの構成の情報を示す説明図である。
【０１０４】
図６は、図３、図４のＶＬＡＮの構成の情報を示す説明図である。
【０１０５】
図５を参照し、自律ＶＬＡＮ認識型スイッチ１０００の図２の時点におけるＶＬＡＮの構成の情報を見ると、ポート１（ポート１入力１７、ポート１出力１８）は、ＶＬＡＮ１であり、端末５０１が接続されている。また、ポート２（ポート２入力１７、ポート２出力１８）は、ＶＬＡＮ１であり、端末５０２が接続されている。また、ポート３（ポート３入力１７、ポート３出力１８）、ポート４（ポート４入力１７、ポート４出力１８）、ポート５（ポート５入力１７、ポート５出力１８）は、外部と接続される。自律ＶＬＡＮ認識型スイッチ１０００のＶＬＡＮの構成の情報には、装置種別の情報は、必ずしも必要ない。
【０１０６】
また、ＶＬＡＮ認識型スイッチ１００の図２の時点におけるＶＬＡＮの構成の情報を見ると、ポート１は、ＶＬＡＮ１，２，３であり、ＮＭＳ１０１が接続されている。また、ポート２、ポート３、ポート４は、外部と接続される。ＶＬＡＮ認識型スイッチ１００のＶＬＡＮの構成の情報には、装置種別の情報は、必ずしも必要ない。
【０１０７】
また、ＶＬＡＮ認識型スイッチ２００の図２の時点におけるＶＬＡＮの構成の情報を見ると、ポート１、ポート２、ポート３は、すべて、ＶＬＡＮ２であり、それぞれ、端末２０１、端末２０２、端末２０３が接続されている。また、ポート４、ポート５は、外部と接続される。ＶＬＡＮ認識型スイッチ２００のＶＬＡＮの構成の情報には、装置種別の情報は、必ずしも必要ない。
【０１０８】
また、ＶＬＡＮ認識型スイッチ３００の図２の時点におけるＶＬＡＮの構成の情報を見ると、ポート１、ポート２、ポート３は、すべて、ＶＬＡＮ３であり、それぞれ、端末３０１、端末３０２、端末３０３が接続されている。また、ポート４、ポート５は、外部と接続される。ＶＬＡＮ認識型スイッチ３００のＶＬＡＮの構成の情報には、装置種別の情報は、必ずしも必要ない。
【０１０９】
図６（ａ）を参照すると、自律ＶＬＡＮ認識型スイッチ１０００の図３の時点におけるＶＬＡＮの構成の情報を見ると、ポート１は、ＶＬＡＮ２であり、端末５０１が接続されている。また、ポート２は、ＶＬＡＮ２であり、端末５０２が接続されている。また、ポート３、ポート４、ポート５は、外部と接続される。
【０１１０】
図６（ｂ）を参照すると、自律ＶＬＡＮ認識型スイッチ１０００の図４の時点におけるＶＬＡＮの構成の情報を見ると、ポート１は、ＶＬＡＮ３であり、端末５０１が接続されている。また、ポート２は、ＶＬＡＮ３であり、端末５０２が接続されている。また、ポート３、ポート４、ポート５は、外部と接続される。
【０１１１】
自律ＶＬＡＮ認識型スイッチ１０００、ＶＬＡＮ認識型スイッチ１００、ＶＬＡＮ認識型スイッチ２００、ＶＬＡＮ認識型スイッチ３００は、送信時に、送信元のポートのＶＬＡＮを示す情報（ＶＬＡＮ１〜ＶＬＡＮ３のいずれであるかを示す）を送信する。これは、たとえば、ＮＰ１０Ｏにより制御される。受信側の自律ＶＬＡＮ認識型スイッチ１０００、ＶＬＡＮ認識型スイッチ１００、ＶＬＡＮ認識型スイッチ２００、ＶＬＡＮ認識型スイッチ３００は、受信側装置に対応するポートのＶＬＡＮと送信元のＶＬＡＮとが同一でなければ、受信を無視する。これは、たとえば、ＮＰ１０Ｉにより制御される。
【０１１２】
次に、本発明の第１の実施の形態の具体例について図面を参照してさらに詳細に説明する。
【０１１３】
図７は、本発明の第１の実施の形態の具体例を示す説明図である。
【０１１４】
図７を参照すると、ＡＢＣビルディング５０は４階建ての架空のビルである。ＡＢＣビルディング５０には、架空の会社が入居しており、１階は総務部、２階は技術部、３階は会議室、４階はサーバー室となっている。ＶＬＡＮの構成は、総務部はＶＬＡＮ２、技術部はＶＬＡＮ３、サーバー室はＶＬＡＮ１，２，３となっている。会議室におけるＶＬＡＮの構成は、デフォルトではＶＬＡＮ１であるが、自律ＶＬＡＮ認識型スイッチ１０００における現在日時と切り替え希望要求情報の内容にしたがう。
【０１１５】
ＮＭＳ１０１は、会議室予約システム９００と連携している。会議室予約システム９００の役割は２つある。１つは、会議室の使用予約管理である。もう１つは、ＮＭＳ１０１と連携することによる、自律ＶＬＡＮ認識型スイッチ１０００に対する切り替え希望要求の登録、削除、および、登録内容の読み出しである。
【０１１６】
会議室予約システム９００に図７に示す予約が行われていたとした場合、たとえば、毎週水曜日のＡＭ９：００〜ＡＭ１１：００の間においては、会議室におけるＶＬＡＮの構成が１階にある総務部と同一になり、会議室に設置された端末５０１、端末５０２を用いて、あるいは、会議室へ持ち込んだノートパソコン等を自律ＶＬＡＮ認識型スイッチ１０００へ接続することにより、１階の総務部における端末２０１、端末２０２、端末２０３と通信することが可能となる。
【０１１７】
また、×月×日（月）のＰＭ３：００〜ＰＭ５：００の間においては、会議室におけるＶＬＡＮの構成が２階にある技術部と同一になり、会議室に設置された端末５０１、端末５０２を用いて、あるいは、会議室へ持ち込んだノートパソコン等を自律ＶＬＡＮ認識型スイッチ１０００へ接続することにより、１階の総務部における端末３０１、端末３０２、端末３０３と通信することが可能となる。
【０１１８】
次に、本発明の第２の実施の形態について図面を参照して詳細に説明する。
【０１１９】
図８は、本発明の第２の実施の形態の構成を示すブロック図である。
【０１２０】
図１に示す本発明の第１の実施の形態と本発明の第２の実施の形態の構成の違いは、図１におけるカレンダ機能付き時計１２が、図８に示すカレンダ・アラーム通知機能付き時計１２Ｄに置き換わっている点である。カレンダ・アラーム通知機能付き時計１２Ｄの特徴は、通知が欲しい日時をあらかじめ複数登録しておくことが可能であり、登録された日時に達すると、制御部２０へ割り込みによる通知が行われる点にある。これにより、制御部２０は、ＤＢ１６上の切り替え希望要求における日時情報をもとにして、カレンダ機能付き時計１２を周期的に監視する必要がなくなり、カレンダ・アラーム通知機能付き時計１２Ｄからの通知が来た時にのみ当該処理を行えばよい。これにより、制御部２０の負荷が低減される。
【０１２１】
次に、本発明の第３の実施の形態について図面を参照して詳細に説明する。
【０１２２】
図９は、本発明の第３の実施の形態の構成を示すブロック図である。
【０１２３】
図９を参照すると、図１の本発明の第１の実施の形態、図８の本発明の第２の実施の形態との相違は、電波受信部１１とカレンダ機能付き時計１２とが制御線８０によって接続されている点である。さらに、電波受信部１１主導で、カレンダ機能付き時計１２に対して日時情報を設定する機能を電波受信部１１が備える点である。この制御線８０の特徴は、標準時報局６０から発射される日時情報等を含んだ電波をアンテナ６１を介して受信し、受信した電波から日時情報を得ると、制御部２０を介さずに、電波受信部１１主導で制御線８０を通じてカレンダ機能付き時計１２に対して直接日時情報を設定できる点である。これにより、制御部２０は、電波受信部１１からの電波受信通知を受け、電波受信部１１によって取得された日時情報をもとに、カレンダ機能付き時計１２に対して、正確な日時情報を設定するといった一連の処理を行う必要がなくなり、制御部２０の負荷が低減される。
【０１２４】
次に、本発明の第４の実施の形態について図面を参照して詳細に説明する。
【０１２５】
図１０は、本発明の第４の実施の形態の構成を示すブロック図である。
【０１２６】
図１０を参照すると、本発明の第４の実施の形態は、本発明の第３の実施の形態のカレンダ機能付き時計１２を、本発明の第２の実施の形態のカレンダ・アラーム通知機能付き時計１２Ｄに置き換えたものである。
【０１２７】
本発明の第４の実施の形態においては、第３の実施の形態において、さらに、カレンダ・アラーム通知機能付き時計１２Ｄに通知が欲しい日時をあらかじめ複数登録しておくことが可能であり、登録された日時に達すると、制御部２０へ割り込みによる通知が行われる。
【０１２８】
【発明の効果】
本発明の第１の効果は、ＶＬＡＮを利用するシステムとＮＭＳ等の管理装置とを連携させることで、ユーザーがＶＬＡＮの構成の変更に関して気にすることなく、目的のＶＬＡＮの構成を自動的に構成できることである。これにより、ＶＬＡＮ認識型スイッチの全てのポートを自由に使用することが可能となる。
【０１２９】
その理由は、目的とする日時やＶＬＡＮの構成の対応は、ＶＬＡＮを利用するシステムのシステム内で隠蔽され、かつこの隠蔽された情報はユーザーの見えない世界でＮＭＳ等の管理装置とやりとりされ、かつこのＮＭＳ等の管理装置から本発明による自律ＶＬＡＮ認識型スイッチに対し、ＶＬＡＮの切り替え希望日時とその構成の登録、削除、変更、および、読み出し指示が出され、かつ本発明によるＶＬＡＮ認識型スイッチは、その登録内容に従い、自律的にＶＬＡＮの構成を変更するからである。
【０１３０】
第２の効果は、従来のＮＭＳ等の管理装置主導によるＶＬＡＮ認識型スイッチへのＶＬＡＮの構成の切り替え指示方式と比べ、ＮＭＳ等の管理装置の負荷が低減されることである。
【０１３１】
その理由は、本発明においては、あらかじめ登録されていた日時、および、ＶＬＡＮ構成をもとにし、本発明の自律ＶＬＡＮ認識型スイッチが自律で切り替えを行っており、ＮＭＳ等の管理装置にかかる負荷としては、基本的に、ＶＬＡＮの切り替え希望日時とその構成の登録、削除、変更、および、読み出しのみとなるからである。
【０１３２】
第３の効果は、ＮＭＳ等の管理装置主導による、ＶＬＡＮ認識型スイッチへのＶＬＡＮの構成の切り替え指示方式と比べ、切り替えにかかる遅延が少なくなることである。
【０１３３】
その理由は、本発明では、あらかじめ登録しておいた日時、および、ＶＬＡＮ構成をもとにし、本発明の自律ＶＬＡＮ認識型スイッチが自律で切り替えを行っているので、ＮＭＳとのＶＬＡＮ切り替え要求通信にかかる時間のオーバーヘッドが全くないためである。
【０１３４】
第４の効果は、ＶＬＡＮの切り替え希望日時をきめ細やかに指示することが可能なことである。
【０１３５】
その理由は、本発明のＶＬＡＮ認識型スイッチは、ＶＬＡＮの切り替え希望日時の指定は、年、月、日、曜日、時、分、および、秒による任意の組み合わせの指定（この指定はｘ年ｙ月ｚ日、ｘ時ｙ分ｚ秒等といった日時限定的な設定だけでなく、毎週月曜日、毎日午後２時等といった、繰り返し的な設定も可能である）を行うことが可能なためである。
【０１３６】
第５の効果は、本発明の自律ＶＬＡＮ認識型スイッチに内蔵された時計が常に正確であることである。
【０１３７】
その理由は、ＮＴＰ、ＳＮＴＰを用いる手段、および、日本のＪＪＹ（登録商標）に代表される標準時報局から発射される日時情報等を含んだ電波を受信し、かつ用いる手段により、自装置の時計を常時正確に合わせているためである。
【０１３８】
第６の効果は、デフォルトのＶＬＡＮの構成情報、および、あらかじめ登録しておいた日時、および、ＶＬＡＮ構成情報に関して、装置が初期化されても、それらの情報の登録内容が保障されるということである。
【０１３９】
その理由は、本発明の自律ＶＬＡＮ認識型スイッチは、フラッシュメモリに代表される各種不揮発性メモリやその他の外部記憶装置へ保持し、かつ装置初期化時において、それらの保持しておいた情報をもとに、デフォルトのＶＬＡＮの構成情報、および、日時、および、ＶＬＡＮ構成情報を復旧するからである。
【０１４０】
第７の効果は、ＶＬＡＮの切り替えが登録通りに正しく変更されたことを、ＮＭＳ等の管理装置が知ることが可能であることである。
【０１４１】
その理由の１つ目は、本発明の自律ＶＬＡＮ認識型スイッチは、ＶＬＡＮの切り替えが登録通りに行われると、ＴＣＰ／ＩＰ、ＵＤＰ／ＩＰ、ＳＮＭＰにおけるＴＲＡＰ等のプロトコルや手段を使ってＮＭＳ等の管理装置へ通知を行うからである。その理由の２つ目は、本発明によるＶＬＡＮ認識型スイッチは、ＴＣＰ／ＩＰ、ＵＤＰ／ＩＰ、ＳＮＭＰ、ＲＳ−２３２Ｃ等のプロトコルを使って現在のＶＬＡＮの構成を読み出すという手段を提供しているからである。
【図面の簡単な説明】
【図１】本発明の第１の実施の形態の構成を示すブロック図である。
【図２】本発明の第１の実施の形態の動作を示す説明図である。
【図３】本発明の第１の実施の形態の動作を示す説明図である。
【図４】本発明の第１の実施の形態の動作を示す説明図である。
【図５】図２のＶＬＡＮの構成の情報を示す説明図である。
【図６】図３、図４のＶＬＡＮの構成の情報を示す説明図である。
【図７】本発明の第１の実施の形態の具体例を示す説明図である。
【図８】本発明の第２の実施の形態の構成を示すブロック図である。
【図９】本発明の第３の実施の形態の構成を示すブロック図である。
【図１０】本発明の第４の実施の形態の構成を示すブロック図である。
【符号の説明】
９０Ｉ    ＰＨＹ
９ａ    物理レイヤ
９ｂ    物理レイヤ
９ｃ    物理レイヤ
９０Ｏ    ＰＨＹ
９ｄ    物理レイヤ
９ｅ    物理レイヤ
９ｆ    物理レイヤ
１０Ｉ    ＮＰ
１０ａ    プロセッサ
１０ｂ    プロセッサ
１０ｃ    プロセッサ
１０Ｏ    ＮＰ
１０ｄ    プロセッサ
１０ｅ    プロセッサ
１０ｆ    プロセッサ
１１    電波受信部
１２    カレンダ機能付き時計
１２Ｄ    カレンダ・アラーム通知機能付き時計
１３    管理用ポート
１４    メモリ
１５    不揮発性メモリ
１６    ＤＢ
１７    ポート１入力
１７    ポート２入力
１７    ポート３入力
１８    ポート１出力
１８    ポート２出力
１８    ポート３出力
２０    制御部
３０    バス
４０    スイッチファブリック
５０    ＡＢＣビルディング
５１    管理用ポート入出力
６０    標準時報局
６１    アンテナ
８０    制御線
１００    ＶＬＡＮ認識型スイッチ
１０１    ＮＭＳ
２００    ＶＬＡＮ認識型スイッチ
２０１    端末
２０２    端末
２０３    端末
３００    ＶＬＡＮ認識型スイッチ
３０１    端末
３０２    端末
３０３    端末
５０１    端末
５０２    端末
９００    会議室予約システム
１０００    自律ＶＬＡＮ認識型スイッチ
【図１】
2004253981.tif 000003
【図２】
2004253981.tif 000004
【図３】
2004253981.tif 000005
【図４】
2004253981.tif 000006
【図５】
2004253981.tif 000007
【図６】
2004253981.tif 000008
【図７】
2004253981.tif 000009
【図８】
2004253981.tif 000010
【図９】
2004253981.tif 000011
【図１０】
2004253981.tif 000012